(57)【要約】【課題】  従来にない新規な形状をもって十分な嵌合長を確保することで嵌合強度の向上を図るとともに、そうでありながら操作時には嵌めやすく外しやすいにも関わらず常態では外れ難いという結合手段を備えた手提げ紐の提供。【課題を解決するための手段】  手提げ袋の開口部に一対で取り付けられる手提げ紐であって、縦断面形状がほぼコの字形を呈した結合手段であって、この紐を袋に装着する前の一文字の状態では同じ向きであるが、袋装着後に相手の手下げ紐の結合手段と向き合った際に、相互に嵌り合うように９０度回転した位置関係に設けられ、なおかつ嵌り合った際に容易に外れないための嵌合構造を備えた。【選択図】図２
2005343483.tif 000002
【特許請求の範囲】
【請求項１】
手提げ袋の開口部に一対で取り付けられる手提げ紐であって、
この紐を手提げ袋に取り付けた場合の袋の開口部近傍にあたる所望位置に、
縦断面形状がほぼコ字形状を呈した結合手段であって、
所望厚さを備えた四角形の平板部を備えるとともに、
その平板部の一対の対辺の外側にこの平板部の高さの少なくとも２倍の高さを有する突起を設け、
なおかつこの結合手段は、この紐を袋に装着する前の一文字の状態では同じ向きであるが、
袋装着後に相手の手下げ紐の結合手段と向き合った際に、
相互に嵌り合うように９０度回転した位置関係に設けられ、
なおかつ嵌り合った際に容易に外れないための嵌合構造を備えてなる手提げ紐の結合手段
を備えたことを特徴とする手提げ紐。
【請求項２】
手提げ袋の開口部に一対で取り付けられる手提げ紐であって、
この紐を手提げ袋に取り付けた場合の袋の開口部近傍にあたる所望位置に、
所望厚さを備えた偶数の片からなる多角柱状の平板部を備えるとともに、
その平板部の一対の対角が紐の長さ方向と平行に配置され、
さらに各辺には一辺おきにその外側にこの多角形状突起の高さの少なくとも２倍の高さを有する突起を設け、
なおかつこの結合手段は、この紐を袋に装着する前の一文字の状態では同じ向きであるが、
袋装着後に相手の手下げ紐の結合手段と向き合った際に、
この多角形の内角分回転した位相で突起が相互に嵌り合うような位置関係に設けられ、
なおかつ嵌り合った際に容易に外れないための嵌合構造を備えてなる手提げ紐の結合手段
を備えたことを特徴とする手提げ紐。
【請求項３】
手提げ袋の開口部に一対で取り付けられる手提げ紐であって、
この紐を手提げ袋に取り付けた場合の袋の開口部近傍にあたる所望位置に、
所望厚さを備えた円柱状の平板部を備えるとともに、
その平板部の外周において、
この外周を偶数均等割りした各周辺の一つおきの外側に、
平板部の高さの少なくとも２倍の高さを有する突起を設け、
なおかつこの結合手段は、この紐を袋に装着する前の一文字の状態では同じ向きであるが、
袋装着後に相手の手下げ紐の結合手段と向き合った際に、
均等割りした角度分回転した位相で突起が相互に嵌り合うような位置関係に設けられ、
なおかつ嵌り合った際に容易に外れないための嵌合構造を備えてなる手提げ紐の結合手段
を備えたことを特徴とする手提げ紐。
【請求項４】
手提げ袋の開口部に一対で取り付けられる手提げ紐であって、
この紐を手提げ袋に取り付けた場合の袋の開口部近傍にあたる所望位置に、
左右対称形状を平坦のまま隆起させて所望厚さを備えた平板部を形成し、
さらに平板部の外周辺において
その一辺の長さを最大幅としてこの平板部の少なくとも２倍の高さに隆起させて一対の突起を対辺に又は一辺おきに形成するとともに、
この突起の上端内側辺には所望高さの突条を対向する突起方向に設け、
さらに上記平板部において突起が形成されない辺を含む側面には、上記突条が適合する条溝を備え、
なおかつこの結合手段は、この紐を袋に装着する前の一文字の状態では同じ向きであるが、
袋装着後に相手の手下げ紐の結合手段と向き合った際に、
突起が相互に嵌り合うような位置関係に設けられてなる手提げ紐の結合手段
を設けたことを特徴とする手提げ紐。
【請求項５】
手提げ袋の開口部に一対で取り付けられる手提げ紐であって、
この紐を手提げ袋に取り付けた場合の袋の開口部近傍にあたる所望位置に、
中央に低い平板部とこの平板部を対角状に挟む位置に、
この中央部の少なくとも２倍の高さを有する一対の突起からなる凹字形状の段付き突起を設けるとともに、
この段付き突起は
同一形状の段付き突起を備えた手下げ紐を平板部が重り合うように向かい合わせにした場合において、
相互の突起が、相手の紐の平板部において突起が形成されない辺に適合することにより、相互に嵌り合う形状であるとともに、
一対の突起の内側及びこの部位が適合する平板部の外面には
両者が容易に外れないようにするための突起及びこの突起が嵌合する溝を備えてなる手提げ紐の結合手段
を設けたことを特徴とする手提げ紐。
【請求項６】
手提げ袋の開口部に一対で取り付けられる手提げ紐であって、
この紐を手提げ袋に取り付けた場合の袋の開口部近傍にあたる所望位置に、
中央に低い平板部と、
この平板部を対角状に挟む位置に、
この平板部の少なくとも２倍の高さを有する突起からなる凹字形状の段付き突起を設けるとともに、
この段付き突起はこの紐を袋に装着する前の一文字の状態では同じ向きであるが、
袋装着後に同一形状の段付き突起を備えた相手の手下げ紐の係合突起と向き合った際に、
相互の突起が、対向する紐の平板部において突起が形成されない辺に適合することにより、相互に嵌り合う形状であるとともに、
一対の突起の内側及びこの部位が適合する平板部の外面には、
両者が容易に外れないようにするための突起及びこの突起が嵌合する窪みを備えてなる手提げ紐の結合手段
を設けたことを特徴とする手提げ紐。
【請求項７】
手提げ袋の開口部に一対で取り付けられる手提げ紐であって、
この紐を手提げ袋に取り付けた場合の袋の開口部近傍にあたる所望位置に、
偶数多角形の、対角線で分割されなおかつこの対角線と外周の一辺とで囲まれた複数の三角形を周方向に交互に凹凸となるように突起部を形成し、
さらにこの対角線を含む突起部側面には、この突起の高さの半分の高さを最大幅として凹凸を上下二段に形成してなり、
この突起はこの紐を袋に装着する前の一文字の状態では同じ向きであるが、
袋装着後に同一形状の突起部を備えた相手の手下げ紐の突起部と向き合った際に、
相互の突起部が対向する紐の凹部に適合するとともに、
突起部側面の凹凸が相互に嵌り合う嵌合構造を備えてなる手提げ紐の結合手段
を備えたことを特徴とする手提げ紐。
【請求項８】
手提げ袋の開口部に一対で取り付けられる手提げ紐であって、
この紐を手提げ袋に取り付けた場合の袋の開口部近傍にあたる所望位置に、
回転対称である基本図形の中心を通る線で均等に偶数分割され、
なおかつこの中心線の一部と外周の一辺とで囲まれた複数の扇形状を周方向に交互に凹凸となるように突起部を形成し、
さらにこの突起部側面には、この突起の高さの半分の高さを最大幅として凹凸を上下二段に形成してなり、
この突起はこの紐を袋に装着する前の一文字の状態では同じ向きであるが、
袋装着後に同一形状の突起部を備えた相手の手下げ紐の突起部と向き合った際に、
相互の突起部がその扇形状の要部の角度分回転した位置で対向する紐の凹部に適合するとともに、
突起部側面の凹凸が相互に嵌り合う嵌合構造を備えてなる手提げ紐の結合手段
を備えたことを特徴とする手提げ紐。
【請求項９】
手提げ袋の開口部に一対で取り付けられる手提げ紐であって、
この紐の両端には上記手提げ袋の開口部に取り付ける取り付け手段を備えるとともに、
この紐を手提げ袋に取り付けた場合の袋の開口部近傍にあたる所望位置に、
基本図形として四角形の一対の頂角に相当する位置に、周方向に交互に凹凸となるように柱状突起を形成し、
さらにこの柱状突起の側面は、１８０度回転させて向き合わせた同形状の他の柱状突起の側面と相互に適合し合うような形状に形成され、
この柱状突起はこの紐を袋に装着する前の一文字の状態では同じ向きに配置されるが、
袋装着後に同一形状の柱状突起を備えた相手の手下げ紐の柱状突起と向き合った際には、
相互の柱状突起が対向する紐の柱状突起間の凹部に適合するとともに、
柱状突起側面が相互に嵌り合う嵌合構造を備えてなる手提げ紐の結合手段
を備えたことを特徴とする手提げ紐。
【請求項１０】
手提げ袋の開口部に一対で取り付けられる手提げ紐であって、
この紐を手提げ袋に取り付けた場合の袋の開口部近傍にあたる所望位置に、
基本図形として偶数多角形の各頂角に相当する位置に、周方向に交互に凹凸となるように柱状突起を形成し、
さらにこの柱状突起の側面は、１８０度回転させて向き合わせた同形状の他の柱状突起の側面と相互に適合し合うような形状に形成され、
この柱状突起はこの紐を袋に装着する前の一文字の状態では同じ向きに配置されるが、
袋装着後に同一形状の柱状突起を備えた相手の手下げ紐の柱状突起と向き合った際には、
相互の柱状突起が対向する紐の柱状突起間の凹部に適合するとともに、
柱状突起側面が相互に嵌り合う嵌合構造を備えてなる手提げ紐の結合手段
を備えたことを特徴とする手提げ紐。
【請求項１１】
周方向に形成した凹凸が半径方向に複数の列をもって形成されてなる請求項７乃至１０のいずれかに記載の手提げ紐。
【請求項１２】
手提げ袋の開口部に一対で取り付けられる手提げ紐であって、
この紐を手提げ袋に取り付けた場合の袋の開口部近傍にあたる所望位置に、
所望高さの中央部と、
この中央部を対角状に挟む位置に、
この中央部の少なくとも２倍の高さを有する突起からなる凹字形状の段付き突起を設けるとともに、
一対の突起の内側及びこの部位が適合する中央部の外面には、
両者が容易に外れないようにするための突起及びこの突起が嵌合する窪みからなる嵌合構造を備えてなり、
さらにこの中央部において、
四角形または偶数多角形の対角線で分割され
なおかつこの対角線と外周の一辺とで囲まれた複数の三角形を周方向に交互に凹凸となるように第三の突起部を形成し、
さらに凹部は少なくともこの第三の突起の高さと同じ深さに凹部を形成してなり、
さらにこの第三の突起と凹部とで形成される壁面には上下二段に凹凸を形成してなり、
これら段付き突起及び第三の突起はこの紐を袋に装着する前の一文字の状態では同じ向きであるが、
袋装着後に同一形状の段付き突起及び第三の突起を備えた相手の手下げ紐の係合突起と向き合った際に、
相互の突起が、対向する紐の中央部において突起が形成されない辺の窪みに適合するとともに、
第三の突起が凹部に嵌り合うことで相互に嵌り合う手提げ紐の結合手段
を設けたことを特徴とする手提げ紐。
【請求項１３】
手提げ袋の開口部に一対で取り付けられる手提げ紐であって、
この紐を手提げ袋に取り付けた場合の袋の開口部近傍にあたる所望位置に、
所望高さの中央部と、
さらに中央部の外周辺において
その一辺の長さを最大幅としてこの中央部の少なくとも２倍の高さに隆起させて一対の突起を対辺に又は一辺おきに形成するとともに、
この突起の上端内側辺には所望高さの条突起を対向する突起方向に突設し、
さらに上記中央部において突起が形成されない辺を含む側面には、上記条突起が適合する溝を備え、
さらに中央部に柱状突起を形成するとともに、
この柱状突起の側面は、１８０度回転させて向き合わせた同形状の他の柱状突起の側面と相互に適合し合うような形状に形成されてなり、
なおかつこの第一、突起及び柱状突起は、この紐を袋に装着する前の一文字の状態では同じ向きであるが、
袋装着後に相手の手下げ紐のこれら突起と向き合った際に、
突起同志及び柱状突起同志が相互に嵌り合いうような位置関係に設けられてなる手提げ紐の結合手段
を設けたことを特徴とする手提げ紐。
【請求項１４】
手提げ袋の開口部に一対で取り付けられる手提げ紐であって、
この紐を手提げ袋に取り付けた場合の袋の開口部近傍にあたる所望位置に、
回転対称である基本図形の中心を通る線で均等に偶数分割され、
上記突起部には、この柱状突起が嵌合する嵌合孔部を備えてなり、
さらにこの突起部側面には、
この突起の高さの半分の高さを最大幅として凹凸を上下二段に形成してなり、
なおかつこの中心線の一部と外周の一辺とで囲まれた複数の扇形状を周方向に交互に凹凸となるように突起部を形成し、
さらにこの凹部には、側面形状を、１８０度回転させて向き合わせた同形状の他の突起の側面と相互に適合し合うような形状に形成してなる柱状突起を備えるとともに、
この突起部及び柱状突起はこの紐を袋に装着する前の一文字の状態では同じ向きであるが、
袋装着後に同一形状の突起部を備えた相手の手下げ紐の突起部と向き合った際に、
相互の突起部がその扇形状の要部の角度分回転した位置で対向する紐の凹部に適合するとともに、
突起部側面の凹凸が相互に嵌り合う嵌合構造を備えてなる手提げ紐の結合手段
を備えたことを特徴とする手提げ紐。
【請求項１５】
手提げ袋の開口部に一対で取り付けられる手提げ紐であって、
この紐を手提げ袋に取り付けた場合の袋の開口部近傍にあたる所望位置に、
上下方向に交互に凹凸となるよう水平方向の突条を少なくとも３列以上並列に設け、
さらに、その突条は根元が細く上方に膨大部を備えた横断面形状からなるとともに、
袋装着後に同一形状の突条を備えた相手の手下げ紐の突条と向き合った際には、
相互の突条が対向する紐の突条間の凹部に適合するとともに、
突条側面が相互に嵌り合う嵌合構造を備えてなる手提げ紐の結合手段
を備えたことを特徴とする手提げ紐。
【請求項１６】
手提げ袋の開口部に一対で取り付けられる手提げ紐であって、
この紐を手提げ袋に取り付けた場合の袋の開口部近傍にあたる所望位置に、
上下方向に交互に凹凸となるよう水平方向の突条を少なくとも３列以上並列に設け、
さらに、その突条は上方に湾曲したまたは上面が突出し及び下面が窪んだ横断面形状からなるとともに、
袋装着後に同一形状の突条を備えた相手の手下げ紐の突条と向き合った際には、
相互の突条が対向する紐の突条間の凹部に適合するとともに、
突条側面が相互に嵌り合う嵌合構造を備えてなる手提げ紐の結合手段
を備えたことを特徴とする手提げ紐。
【請求項１７】
突条側面の嵌合は上方に向かうほど浅くなるよう形成したことを特徴とする請求項１５又は１６のいずれかに記載の手提げ紐。
【請求項１８】
手提げ袋の開口部に一対で取り付けられる手提げ紐であって、
この紐を手提げ袋に取り付けた場合の袋の開口部近傍にあたる所望位置に、
水平から４５度傾斜した線上とこれと直交する線上に１列及び２列の突条を、
交点を中心にした回転方向に交互になおかつ交点付近を所望間隔離して配置して設け、
この突条列はこの紐を袋に装着する前の一文字の状態では同じ向きであるが、
袋装着後に同一形状の突条を備えた相手の手下げ紐の突条と向き合った際には、
相互の１列の突条が対向する紐の２列の突条の凹部に適合するとともに、
突条側面が相互に嵌り合う嵌合構造を備えてなる手提げ紐の結合手段
を備えたことを特徴とする手提げ紐。
【請求項１９】
手提げ袋の開口部に一対で取り付けられる手提げ紐であって、
この紐を手提げ袋に取り付けた場合の袋の開口部近傍にあたる所望位置に、
所望厚みを備えた平面部を設けるとともに、
この平面部の側辺を上下に２分割し、
その対角の位置に内向した鈎部を備えた突起を設け、
さらに側辺においてこの突起がない部分には、
この突起の鈎部が適合する溝を設けた嵌合手段を形成し、
なおかつこの嵌合手段はこの紐を袋に装着する前の一文字の状態では同じ向きであるが、
袋装着後に同一形状の嵌合手段を備えた相手の手下げ紐の嵌合手段と向き合った際には、
相互の突起が対向する紐の溝部に適合することにより相互に嵌り合う嵌合構造
を備えてなる手提げ紐の結合手段
を備えたことを特徴とする手提げ紐。
【請求項２０】
手提げ袋の開口部に一対で取り付けられる手提げ紐であって、
この紐を手提げ袋に取り付けた場合の袋の開口部近傍にあたる所望位置に、
内向した鈎部を備えた所望幅の突起を設けるとともに、
対辺の上記突起の上端の水平位置を下端とする位置に同様の突起を対向して設け、
これら一対の突起はこの紐を袋に装着する前の一文字の状態では同じ向きであるが、
袋装着後に同一形状の突起対を備えた相手の手下げ紐と向き合った際には、
相互の突起が対向する紐に引っ掛かり、交差して抱きかかえるように適合することにより相互に嵌り合う構造
を備えてなる手提げ紐の結合手段
を備えたことを特徴とする手提げ紐。
【請求項２１】
嵌合構造における上下位置において、上側よりも下側の嵌め合い強さを強く構成することにより、紐側からの解放操作によっては容易に解放され、逆に袋側からの解放力に拠っては解放されにくい嵌め合い強度の偏り性を付与したことを特徴とする請求項１乃至２０のいずれかに記載の手提げ紐。
【請求項２２】
紐が、帯状、縄状または線状のいずれかから選択されるものである請求項１乃至２１のいずれかに記載の手提げ紐。
【請求項２３】
結合手段の紐への固定方法が、溶着、接着、挟み着け、嵌め込み、圧着、ねじ止め、貫通、引っ掛け留め、フック留めまたは一体成形のいずれかから選択されるものである請求項１乃至２２のいずれかに記載の手提げ紐。
【請求項２４】
結合手段の紐への固定方法が、袋体への紐の係合を伴うものである請求項１乃至２３のいずれかに記載の手提げ紐。
【請求項２５】
結合手段の紐への係合方法が、中空の筒状部材の表面に一体に形成してなり、かかる結合手段は紐上を自由に移動可能であることを特徴とする請求項１乃至２２のいずれかに記載の手提げ紐。
【発明の詳細な説明】
【技術分野】
【０００１】
本発明は、手提げ袋に設けられ、その開口部を閉じるための結合手段を備えた手提げ紐に関するものである。
【背景技術】
【０００２】
この手の手提げ紐は、いわゆるショッピングバッグに多く用いられ、その開口部に逆Ｕ字形状に取り付けられる。単に袋の吊下げ手段としてのみならず、手提げ袋内に品物を入れた際に袋の開口部を閉じる機能をも持ち併せたものが多く利用されている。
【０００３】
例えば実開昭５９−１９５３５号公報に記載の考案では、手提げ紐の袋への取り付け部のやや上部に嵌合突起とこの突起が係合する嵌合孔部を備え、手提げ紐を袋に取り付けの際は、袋をとじる際に両者が向かい合うように取り付けていた。
【０００４】
しかしながら、この場合には大きく３つの問題点があった。１つ目は、良好な使用感を得るために嵌合突起の先端を尖らせる必要があり、これが袋内への商品の出し入れ時に障害となっていた。特にセーターなどのニット製品は糸が引っ掛かって引き出されてしまうことがあり、商品価値を損ねてしまう場合もあった。
【０００５】
２つ目は１本の手提げ紐において、一方には勘合突起を他方には嵌合孔部を設ける,、あるいは袋に取り付ける２本の手提げ紐において、１本は嵌合突起のみ、もう１本には嵌合孔部のみを設けるということとすると、それらの限定された取り付け方向や一つの袋に２種類の異なる手提げ紐を取り付けなければならないということに注意を払わなければならず、煩雑であった。この種の手提げ紐はきわめて単価が低いものであるとともに、その取り付けは人の手に頼って行なわれているため、取り付け作業時の間違いを無くすとともに、歩留りを上げて袋の組立てコストを下げる必要性からも、このような手間のかかる作業はできるだけ改善されなければならない要請があった。
【０００６】
そして３つ目は、製品としての手提げ袋を梱包して輸送する際において、突起の高さが袋を重ねた際に嵩張るため輸送効率が悪く、コストが上がり、ひいては製品単価を上げる原因となっていた。
【特許文献１】実開昭５９−１９５３５号公報
【０００７】
そこで、上記問題点を解決する一つの手段として実開平６−３２３３５号公報に記載の考案がなされた。
【０００８】
この考案は、横断面がほぼΩ形状の条を２本平行に形成した条溝の構成を、１本の手提げ紐の左右取り付け部において同形状をほぼ同位置に形成し、左右のそれぞれの条が対向する蟻溝に嵌合してファスナーのように機能するものである。
【特許文献１】実開平６−３２３３５号公報
【０００９】
また、袋の開口部を閉じる手段としては他に、特開２００３−１６５５４９号公報に記載されているいわゆるホック式や実開昭５７−８８７４４号に記載されている、取っ手に交差させることにより係合する切り欠きを形成した方式がある。また、嵌合し合う構造が相互に同形状のものとして特開２０００−１３９５４０号に記載の発明がある。
【特許文献２】特開２００３−１６５５４９号公報
【特許文献３】実開昭５７−８８７４４号公報
【特許文献４】特開２０００−１３９５４０号公報
【発明の開示】
【発明が解決しようとする課題】
【００１０】
従来技術で最も利用されていた形状としては、キノコ形状の突起と係合孔の組み合わせであった。これは比較的コンパクトに形成され表面からは見えにくい上に、嵌合強度も確保しやすいというメリットがあった。
【００１１】
しかしながら、キノコ形状という形状には、上述の突起に品物が引っかかりやすいという問題に加えて、構造的な強度が不足しており、無理な方向に引っ張るとちぎれてしまったり、少ない回数で疲労しやすいという本来的な問題があった。
【００１２】
そこで上記実開平６−３２３３５号公報に記載の考案のような新たな形状の結合手段が提案されるに至ったと推測されるが、かかる考案を例に取ると、手提げ紐の幅一杯に直線状の係合条突起を設けているが、一定の嵌合強度を確保するためにはやはり一定の嵌合長さは要求されるということがわかる。しかしそれゆえこの条突起の両端が引っかかりやすい形状となってしまっている。
【００１３】
また、従来技術はいずれも結合手段の結合（嵌合）時と解放時に必要とされる力が同じであったため、結合（嵌合）強度を上げようとすると必然的に嵌めにくく外しにくいというような操作性に問題を抱えることとなっていた。
【００１４】
そこで、この発明は、上記従来の課題を解決するとともに、従来にない新規な形状をもって十分な嵌合長を確保することで嵌合強度の向上を図るとともに、そうでありながら操作時には嵌めやすく外しやすいにも関わらず常態では外れ難いという結合手段を備えた手提げ紐を提供することを目的とするものである。
【課題を解決するための手段】
【００１５】
すなわちこの発明の手提げ紐は、手提げ袋の開口部に一対で取り付けられる手提げ紐であって、この紐を手提げ袋に取り付けた場合の袋の開口部近傍にあたる所望位置に設けられる結合手段に、以下の特徴を備えるものである。
（１）縦断面形状がほぼコ字形状を呈した結合手段であって、所望厚さを備えた四角形の平板部を備えるとともに、その平板部の一対の対辺の外側にこの平板部の高さの少なくとも２倍の高さを有する突起を設け、なおかつこの結合手段は、この紐を袋に装着する前の一文字の状態では同じ向きであるが、袋装着後に相手の手下げ紐の結合手段と向き合った際に、相互に嵌り合うように９０度回転した位置関係に設けられ、なおかつ嵌り合った際に容易に外れないための嵌合構造を備えたこと。
（２）所望厚さを備えた偶数の辺からなる多角柱状の平板部を備えるとともに、その平板部の一対の対角が紐の長さ方向と平行に配置され、さらに各辺には一辺おきにその外側にこの多角形状突起の高さの少なくとも２倍の高さを有する突起を設け、なおかつこの結合手段は、この紐を袋に装着する前の一文字の状態では同じ向きであるが、袋装着後に相手の手下げ紐の結合手段と向き合った際に、この多角形の内角分回転した位相で突起が相互に嵌り合うような位置関係に設けられ、なおかつ嵌り合った際に容易に外れないための嵌合構造を備えたこと。
（３）所望厚さを備えた円柱状の平板部を備えるとともに、その平板部の外周において、この外周を偶数均等割りした各周辺の一つおきの外側に、平板部の高さの少なくとも２倍の高さを有する突起を設け、なおかつこの結合手段は、この紐を袋に装着する前の一文字の状態では同じ向きであるが、袋装着後に相手の手下げ紐の結合手段と向き合った際に、均等割りした角度分回転した位相で突起が相互に嵌り合うような位置関係に設けられ、なおかつ嵌り合った際に容易に外れないための嵌合構造を備えたこと。
（４）この紐を手提げ袋に取り付けた場合の袋の開口部近傍にあたる所望位置に、左右対称形状を平坦のまま隆起させて所望厚さを備えた平板部を形成し、さらに平板部の外周辺においてその一辺の長さを最大幅としてこの平板部の少なくとも２倍の高さに隆起させて一対の突起を対辺に又は一辺おきに形成するとともに、この突起の上端内側辺には所望高さの突条を対向する突起方向に設け、さらに上記平板部において突起が形成されない辺を含む側面には、上記突条が適合する条溝を備え、なおかつこの結合手段は、この紐を袋に装着する前の一文字の状態では同じ向きであるが、袋装着後に相手の手下げ紐の結合手段と向き合った際に、突起が相互に嵌り合うような位置関係に設けたこと。
（５）中央に低い平板部とこの平板部を対角状に挟む位置に、この中央部の少なくとも２倍の高さを有する一対の突起からなる凹字形状の段付き突起を設けるとともに、この段付き突起は同一形状の段付き突起を備えた手下げ紐を平板部が重り合うように向かい合わせにした場合において、相互の突起が、相手の紐の平板部において突起が形成されない辺に適合することにより、相互に嵌り合う形状であるとともに、一対の突起の内側及びこの部位が適合する平板部の外面には両者が容易に外れないようにするための突起及びこの突起が嵌合する溝を備えたこと。
（６）中央に低い平板部と、この平板部を対角状に挟む位置に、この平板部の少なくとも２倍の高さを有する突起からなる凹字形状の段付き突起を設けるとともに、この段付き突起はこの紐を袋に装着する前の一文字の状態では同じ向きであるが、袋装着後に同一形状の段付き突起を備えた相手の手下げ紐の係合突起と向き合った際に、相互の突起が、対向する紐の平板部において突起が形成されない辺に適合することにより、相互に嵌り合う形状であるとともに、一対の突起の内側及びこの部位が適合する平板部の外面には、両者が容易に外れないようにするための突起及びこの突起が嵌合する窪みを備えたこと。
（７）偶数多角形の、対角線で分割されなおかつこの対角線と外周の一辺とで囲まれた複数の三角形を周方向に交互に凹凸となるように突起部を形成し、さらにこの対角線を含む突起部側面には、この突起の高さの半分の高さを最大幅として凹凸を上下二段に形成してなり、この突起はこの紐を袋に装着する前の一文字の状態では同じ向きであるが、袋装着後に同一形状の突起部を備えた相手の手下げ紐の突起部と向き合った際に、相互の突起部が対向する紐の凹部に適合するとともに、突起部側面の凹凸が相互に嵌り合う嵌合構造を備えたこと。
（８）回転対称である基本図形の中心を通る線で均等に偶数分割され、なおかつこの中心線の一部と外周の一辺とで囲まれた複数の扇形状を周方向に交互に凹凸となるように突起部を形成し、さらにこの突起部側面には、この突起の高さの半分の高さを最大幅として凹凸を上下二段に形成してなり、この突起はこの紐を袋に装着する前の一文字の状態では同じ向きであるが、袋装着後に同一形状の突起部を備えた相手の手下げ紐の突起部と向き合った際に、相互の突起部がその扇形状の要部の角度分回転した位置で対向する紐の凹部に適合するとともに、突起部側面の凹凸が相互に嵌り合う嵌合構造を備えたこと。
（９）基本図形として四角形の一対の頂角に相当する位置に、周方向に交互に凹凸となるように柱状突起を形成し、さらにこの柱状突起の側面は、１８０度回転させて向き合わせた同形状の他の柱状突起の側面と相互に適合し合うような形状に形成され、この柱状突起はこの紐を袋に装着する前の一文字の状態では同じ向きに配置されるが、袋装着後に同一形状の柱状突起を備えた相手の手下げ紐の柱状突起と向き合った際には、相互の柱状突起が対向する紐の柱状突起間の凹部に適合するとともに、柱状突起側面が相互に嵌り合う嵌合構造を備えたこと。
（１０）基本図形として偶数多角形の各頂角に相当する位置に、周方向に交互に凹凸となるように柱状突起を形成し、さらにこの柱状突起の側面は、１８０度回転させて向き合わせた同形状の他の柱状突起の側面と相互に適合し合うような形状に形成され、この柱状突起はこの紐を袋に装着する前の一文字の状態では同じ向きに配置されるが、袋装着後に同一形状の柱状突起を備えた相手の手下げ紐の柱状突起と向き合った際には、相互の柱状突起が対向する紐の柱状突起間の凹部に適合するとともに、柱状突起側面が相互に嵌り合う嵌合構造を備えたこと。
（１１）上記（７）乃至（９）において周方向に形成した凹凸が半径方向に複数の列をもって形成すること。
（１２）所望高さの中央部と、この中央部を対角状に挟む位置に、この中央部の少なくとも２倍の高さを有する突起からなる凹字形状の段付き突起を設けるとともに、一対の突起の内側及びこの部位が適合する中央部の外面には、両者が容易に外れないようにするための突起及びこの突起が嵌合する窪みからなる嵌合構造を備えてなり、さらにこの中央部において、四角形または偶数多角形の対角線で分割されなおかつこの対角線と外周の一辺とで囲まれた複数の三角形を周方向に交互に凹凸となるように第三の突起部を形成し、さらに凹部は少なくともこの第三の突起の高さと同じ深さに凹部を形成してなり、さらにこの第三の突起と凹部とで形成される壁面には上下二段に凹凸を形成してなり、これら段付き突起及び第三の突起はこの紐を袋に装着する前の一文字の状態では同じ向きであるが、袋装着後に同一形状の段付き突起及び第三の突起を備えた相手の手下げ紐の係合突起と向き合った際に、相互の突起が、対向する紐の中央部において突起が形成されない辺の窪みに適合するとともに、第三の突起が凹部に嵌り合うことで相互に嵌り合うこと。
（１３）所望高さの中央部と、さらに中央部の外周辺においてその一辺の長さを最大幅としてこの中央部の少なくとも２倍の高さに隆起させて一対の突起を対辺に又は一辺おきに形成するとともに、この突起の上端内側辺には所望高さの条突起を対向する突起方向に突設し、さらに上記中央部において突起が形成されない辺を含む側面には、上記条突起が適合する溝を備え、さらに中央部に柱状突起を形成するとともに、この柱状突起の側面は、１８０度回転させて向き合わせた同形状の他の柱状突起の側面と相互に適合し合うような形状に形成されてなり、なおかつこの第一、突起及び柱状突起は、この紐を袋に装着する前の一文字の状態では同じ向きであるが、袋装着後に相手の手下げ紐のこれら突起と向き合った際に、突起同志及び柱状突起同志が相互に嵌り合いうような位置関係に設けたこと。
（１４）回転対称である基本図形の中心を通る線で均等に偶数分割され、上記突起部には、この柱状突起が嵌合する嵌合孔部を備えてなり、さらにこの突起部側面には、この突起の高さの半分の高さを最大幅として凹凸を上下二段に形成してなり、なおかつこの中心線の一部と外周の一辺とで囲まれた複数の扇形状を周方向に交互に凹凸となるように突起部を形成し、さらにこの凹部には、側面形状を、１８０度回転させて向き合わせた同形状の他の突起の側面と相互に適合し合うような形状に形成してなる柱状突起を備えるとともに、この突起部及び柱状突起はこの紐を袋に装着する前の一文字の状態では同じ向きであるが、袋装着後に同一形状の突起部を備えた相手の手下げ紐の突起部と向き合った際に、相互の突起部がその扇形状の要部の角度分回転した位置で対向する紐の凹部に適合するとともに、突起部側面の凹凸が相互に嵌り合う嵌合構造を備えたこと。
（１５）上下方向に交互に凹凸となるよう水平方向の突条を少なくとも３列以上並列に設け、さらに、その突条は根元が細く上方に膨大部を備えた横断面形状からなるとともに、袋装着後に同一形状の突条を備えた相手の手下げ紐の突条と向き合った際には、相互の突条が対向する紐の突条間の凹部に適合するとともに、突条側面が相互に嵌り合う嵌合構造を備えたこと。
（１６）上下方向に交互に凹凸となるよう水平方向の突条を少なくとも３列以上並列に設け、さらに、その突条は上方に湾曲したまたは上面が突出し及び下面が窪んだ横断面形状からなるとともに、袋装着後に同一形状の突条を備えた相手の手下げ紐の突条と向き合った際には、相互の突条が対向する紐の突条間の凹部に適合するとともに、突条側面が相互に嵌り合う嵌合構造を備えたこと。
（１７）上記（１５）または（１６）において突条側面の嵌合は上方に向かうほど浅くなるよう形成したこと。
（１８）水平から４５度傾斜した線上とこれと直交する線上に１列及び２列の突条を、交点を中心にした回転方向に交互になおかつ交点付近を所望間隔離して配置して設け、この突条列はこの紐を袋に装着する前の一文字の状態では同じ向きであるが、袋装着後に同一形状の突条を備えた相手の手下げ紐の突条と向き合った際には、相互の１列の突条が対向する紐の２列の突条の凹部に適合するとともに、突条側面が相互に嵌り合う嵌合構造を備えたこと。
（１９）所望厚みを備えた平面部を設けるとともに、この平面部の側辺を上下に２分割し、その対角の位置に内向した鈎部を備えた突起を設け、さらに側辺においてこの突起がない部分には、この突起の鈎部が適合する溝を設けた嵌合手段を形成し、なおかつこの嵌合手段はこの紐を袋に装着する前の一文字の状態では同じ向きであるが、袋装着後に同一形状の嵌合手段を備えた相手の手下げ紐の嵌合手段と向き合った際には、相互の突起が対向する紐の溝部に適合することにより相互に嵌り合う嵌合構造を備えたこと。
（２０）内向した鈎部を備えた所望幅の突起を設けるとともに、対辺の上記突起の上端の水平位置を下端とする位置に同様の突起を対向して設け、これら一対の突起はこの紐を袋に装着する前の一文字の状態では同じ向きであるが、袋装着後に同一形状の突起対を備えた相手の手下げ紐と向き合った際には、相互の突起が対向する紐に引っ掛かり、交差して抱きかかえるように適合することにより相互に嵌り合う構造を備えたこと。
（２１）上記嵌合構造における上下位置において、上側よりも下側の嵌め合い強さを強く構成することにより、紐側からの解放操作によっては容易に解放され、逆に袋側からの解放力に拠っては解放されにくい嵌め合い強度の偏り性を付与したこと。
（２２）上記紐が帯状、縄状または線状のいずれかから選択されるものであること。
（２３）上記結合手段の紐への固定方法が、溶着、接着、挟み着け、嵌め込み、圧着、ねじ止め、貫通、引っ掛け留め、フック留めまたは一体成形のいずれかから選択されるものであること。
（２４）上記結合手段の紐への固定方法が、袋体への紐の係合を伴うものであること。
（２５）上記結合手段の紐への係合方法が、中空の筒状部材の表面に一体に形成してなり、かかる結合手段は紐上を自由に移動可能であること。
【発明の効果】
【００１６】
この発明の手提げ紐は上記のように構成するものであるから、その構成によっては、従来にない新規な形状であるとともに、十分な長さの嵌合長を確保することでコンパクトな形状でありながら嵌合強度の向上を図ることができる。したがって、常態では袋の口が不用意に開いてしまうということを従来以上に防止することができる。
【００１７】
しかも、嵌合強度が強いにもかかわらず、操作時には嵌めやすく外しやすいという相反する特性を兼ね備えた従来にない良好な操作性を得られるに至った。
【００１８】
さらには、この発明の結合手段は新規なホックとして機能するため、衣料品等への応用も可能である。
【発明を実施するための最良の形態】
【００１９】
以下、この発明を実施するための最良の形態を図に基づき詳述する。
【実施例１】
【００２０】
図１はこの発明の手提げ紐を備えた袋の斜視図である。図において１は袋、２は手提げ紐であり、また３は吊り下げ部及び４は袋への取り付け部である。袋１はいわゆるショッピングバッグと称され、デパートなどで買い物をする際に商品を入れて渡される場合によく使われるタイプのガゼット型紙製袋を示しているが、袋本体についてはこのような紙製ショッピングバッグに限定されるものではなく、手提げ紐が備えられた袋であれば全てに適用可能である。
【００２１】
手提げ紐２は図２に示すような扁平な帯が一般的である。図では袋への取り付け部４は特別な構成にはなっておらず、袋１の開口部の直下に設けた挿通孔に通して、袋１の内側で結び目を作って抜け止めとしているタイプである。したがって図の手提げ紐２の末端部（４）は帯を作っている糸が解れないように末端処理が施されているのみである。
【００２２】
手提げ紐２の素材としては、綿が好適であるが、袋１へ入れた内容物の重みに耐えるに十分な引っ張り強度及び袋１への係合強度を確保しつつも手になじむように柔軟性を備えている素材であればこれに限定されるものではなく、素材としてはＰＥ（ポリエチレン）、ＰＰ（ポリプロピレン）、ナイロン、生分解性樹脂など多くの樹脂素材やその他、紙など天然素材等も使用目的等に応じて選択されうる。
【００２３】
また、紐２の形態としては、図に示すような帯状のものの他、縄状のものも使用環境やデザインの観点から選択されうる。
【００２４】
図２及び３に示すように、手提げ紐２の端部から所望寸法離れた位置には結合手段５が設けられている。この結合手段５は図１に示すように、袋の左右（または前後）に対で取り付けられた際に、袋の開口部を閉じるために２本の向き合った手提げ紐２を結合させるためのものである。そして結合手段の位置は、この紐２を図５に示すように紐挿通孔８を通して袋の内側で結び目を作って抜け止めとするような場合は、結び目を作るのに必要な長さに若干の余裕分端部から離れた位置に設けている。おおよそ、袋１の上端から若干上の位置となる。
【００２５】
図２及び図３において、結合手段５は紐２の末端（取り付け部４）の上部に設けられている。この場合において、結合手段５が設けられるのは図１において袋の内側を向く側となる。そして図２に示すように、手提げ紐２を直線状（一文字）に伸ばした際（図では中間の手提げ部３を省略）に、結合手段５は同一方向に設けられている。すなわち図示しない手提げ紐２の中心を回転軸とした回転対称に設けられている。
【００２６】
結合手段５は樹脂で成形される場合は射出成型など常法の樹脂成形手段により成形される。その素材は加工性と嵌め合い強度を併せて確保する必要性から、素材としてはＰＥ（ポリエチレン）が好適に用いられるが、ＰＰ（ポリプロピレン）、ナイロン、ポリアセタール樹脂、生分解性樹脂およびいわゆるエンジニアリングプラスチックなど多くの樹脂素材や木材などの天然素材も使用目的等に応じて選択されうる。
【００２７】
そして結合手段５を手提げ紐２に固定する方法としては、接着の他、圧着、溶着、クランプ、挟着、ねじ止め、嵌め込み、貫通、引っ掛け留め、フック留めなど手段は限定されない。
【００２８】
図４は結合手段５の平面図である。中心線を挟んで左右の図は、それぞれ結合される相手の紐に設けられた結合手段を示している。紐２に設けられる結合手段５は全て同形状同寸法で、図４に示すように、中央の平板状の基盤６とそれを挟むように当該基盤６の一対の対辺の外側にこの基盤６の高さの少なくとも２倍の高さをもって配置された突起７で構成されている。図では基盤６は正方形であり、また突起７は基盤６の形状を四等分した二等辺三角形を呈している。結合手段５は、図２に示すように基盤６がその一つの対角線を手提げ紐２の長手方向に平行に設けられている。図では紙面上下方向が紐の長手方向である。そして基盤６の一の対辺の外側に一対の突起７が形成されていることにより、図４におけるＢＢ断面図は図７に示すようにほぼコ字形状を呈している。突起７の幅は基盤６を構成する四角形または多角形の一辺の長さが最大幅となる。
【００２９】
また、結合手段５の基盤６及び突起７の構成は、換言すると、中心に四角形、多角形または円形の左右対称形状で基盤６を形成し、さらに当該基盤６の外周辺においてその一辺の長さを最大幅としてこの基盤６の少なくとも２倍の高さに隆起させて一対の突起７を対辺にまたは一辺おきに形成しているとも言える。
【００３０】
あるいは、中央に低い基盤６とこの基盤６を対角状に挟む位置に、この中央部の少なくとも２倍の高さを有する一対の突起からなる凹字形状の段付き突起７を設けるとともに、この段付き突起は同一形状の段付き突起を備えた手下げ紐を基盤６が重り合うように向かい合わせにした場合において、相互の突起７が、相手の紐の基盤６において突起７が形成されない辺に適合することにより、あたかも握手をするように相互に嵌り合う形状に形成されているとも言える。
【００３１】
図５及び図６に示すように、向かい合った２本の手提げ紐２の結合手段５は、基盤６が相互に面と面を重ねるようにかつ、結合手段５が交差するように結合する。つまり、前述の通り図２に示すように結合手段５が図心を軸に回転対称に設けられることによって、袋に装着した際には向かい合った結合手段５はちょうど９０度回転した位置関係となるのである。したがって、図６に示すように、右の手提げ紐２の突起７ａが左の結合手段５の基盤６ｂにおける突起７ｂが形成されていない部分（上の破線部分）に、また右の手提げ紐２の突起７ａ’が左の結合手段５の基盤６ｂにおける突起７ｂが形成されていない部分（下の破線部分）に適合し、両者があたかも握手をするような互い違いの形で嵌り合う。言うなれば従来のこの種の結合手段がいわゆる雌雄別体の部材を向き合わせて結合させていたのに対し、この発明の結合手段５は雌雄なく同一形状を向き合わせて結合させるものである。
【００３２】
図７は結合手段５の嵌合構造を示す要部断面図（図４におけるＡＡ断面及びＢＢ断面）である。図７（イ）の右図に示すように、突起７の対角方向の縦（ＢＢ）断面がコ字形状を呈しており、それが相互に嵌り合うようになっている。そして嵌り合った際に容易に開放されないように、抜け止めとして、一対の突起７のそれぞれの対抗する辺の上端にその辺の長さを最大長とする突条９が設けられ、そしてこの突条９が適合する条溝１０が基盤６における突起７が形成されていない辺の側面に形成され、嵌合構造を構成している。すなわち嵌合時は図６に示すように、左側の突条９ｂが右側の条溝１０ａに嵌り、右側の突条９ａが左側の条溝１０ｂに嵌るという具合に嵌合し図７（ロ）に示すように出っ張りなく一体となる。
【００３３】
図８は上記突条９及び条溝１０の形状において異なる例を示すものである。図７では断面が半円形を呈しているが、図８では矩形を呈している。当然のことながら、円形の方が嵌め易くまた外し易い特性となる。したがって、必要な嵌合強度に応じて選択すればよく、矩形の面取りの形状（曲面か平面か）とその幅が自由に設定することができる。
【００３４】
以上のように構成した結合手段５を備えた手提げ紐２の使用に際しては図９に示すとおりである。
【００３５】
手提げ紐２は袋１の上端開口部に設けられた挿通孔８に端部４を外側から通した後に袋内側で結び目を作って抜け止めとし、係合される。袋の中に品物を入れて口を閉じる際は手提げ紐２の結合手段５が設けられた付近を手で持って前後の手提げ紐２同士を重ね合わせて結合手段５を結合させる。（イ）→（ロ）そして、再び袋の口を開ける際は（ハ）に示すように手提げ紐２を持って広げればよい。
【００３６】
使用時において、結合手段５にかかる力は、手提げ紐２は２本揃えられて手で握られるので、主に袋内に詰められた品物（内容物）による開口部を広げる方向の力が最も大きいと考えられる。したがって、結合手段５に求められる性能としては、この内容物による開口方向の力に打ち勝つことである。この発明は上述のように、基盤６の全周が嵌め合い長さとなるので、全長を最大限に利用することで十分な長さを確保することとなり、前述の実開平６−３２３３５に開示されているように手提げ紐２の全幅を２往復した場合よりも長い嵌合長を確保することができる。これは従来用いられてきたキノコ形の係合突起よりもはるかに長いものであり、結合強度も十分であるが、それでも結合強度が不足する場合もある。
【００３７】
図１０は結合手段５の基盤の他の形状例を示す平面図である。（イ）は菱形の場合、（ロ）は六角形の場合、（ハ）は八角形及び（ニ）は円形の場合を示している。多角形の場合はいずれの場合も、一つの対角線が必ず手提げ紐２の長手方向（図においては紙面の上下方向）と平行に配置される。そして図は中心線を境に左右がそれぞれ使用時の向かい合う結合手段を示すものである。右の図の突起７が左の図の破線部分に適合するようにするためには、１本の手提げ紐２の両側への配置を前述の通り（図２）手提げ紐２の中心を軸に回転対称にしなければならないから、基盤６を構成する基本図形は偶数多角形または円形に限定される。言い換えれば、基盤６はそれ自体縦の対角線を中心に左右対称図形でなければならないということである。そして多角形の場合は（ロ）及び（ハ）に示すように、辺一つおきに突起７を形成している。円形の場合は、図（ニ）では突起７は一対のみであるが、全周を偶数に均等割りすれば多角形と同様に構成することができる。ただしその際においても、突起７の左右いずれかの端部を結ぶ線が多角形の対角線同様に手提げ紐２の長手方向と必ず平行に配置されなければならない。
【００３８】
なお、突起７の形状は、図示のように三角形や半楕円形状などに限定されることはない。この突起７の形状は、嵌め合った際における結合手段５の結合強度に影響するものである。つまり、突起７の剛性が低く変形し易いと結合が外れやすく、逆に剛性が高く変形しにくいと結合が外れ難いということになる。ただし、この剛性は、結合手段５が固定される手提げ紐２の素材特性や基盤６の厚みなども要因となって決定される。また、その上面は平面で構成されると嵌め合わせが困難であるので、できるだけ角と平面部のない曲面で構成されることが望ましい。
【００３９】
図１１は突条９及び条溝１０の他の構成例を示すものである。例えば図１１（イ）において、結合手段５を上下に分けて考えたときに、下側の対の突条９と条溝１０の寸法を上側のそれよりも大きく（深くまたは幅広に）することにより、上側よりも下側の方が嵌め合い強度が強くなり、解放し難い構成となるのである。つまりその寸法の選択によって、結合させるときと解放させるときの嵌め合い順序を決めることができる。図のように下側を深く嵌め合い強度が強い構成とすると、結合させるときは下側を先に嵌め合わせてから上側を嵌め合わせることとなる。そして解放時は必ず上側から外れることとなる。つまり図１２に矢印で示す袋側の開口力によっては解放され難い特性を付与することとなるのである。言い換えれば手提げ紐２を広げる操作によらなければ袋が開口できないということになる。したがって、手提げ紐２は状態では垂れ下がってしまっていて、その自重を持ってしては開口部を広げるだけの力にはなりえず、さらに吊り下げ時に開口方向に作用することはありえないので、下側を解放し難い構成にすれば内容物によって不用意に開口することがなくなる。
【００４０】
図１３は基盤部の他の構成例を示す要部平面図である。図に示すように、基盤６の中央部には磁石１１が埋め込まれている。もちろん相手側とで極性を合わせる必要はあるが、上記嵌合性能に加えて磁力による吸着力を加味することによって、嵌め合わせの際の位置決めが容易にができるよう構成することも可能である。
【００４１】
図１４乃至２１は、この発明の手提げ紐２と結合手段５との係合方法について、他の例を示すものである。
【実施例２】
【００４２】
図１４は裏部材と表部材によって手提げ紐２を挟むことによって、固定手段５を手提げ紐２に固定する方法の第１の例を示す要部側面図である。裏部材としては固定部材５がそのまま利用できるものとして、図（イ）に示すようにその背面に突起１２が形成されている。表部材１３はリベット様に扁平形状に形成されていて、その中心には裏部材の突起１２が係合する係合部１４が設けられている。そして望ましくは図（ロ）に示すように、手下げ紐２に設けた貫通孔１５に突起１２を挿通して表部材１３を嵌め合わせて両者で紐２を挟み付けて固定する。この場合において突起１２が十分細い場合は紐２に予め貫通孔１５を開けなくても良い。また、突起１２は針状に鋭利な形状であっても良く、また、複数本備えても良く、表部材１３とで確実に固定されれば良い。さらに突起１２と係合部１４の配置は表部材１３と裏部材５において図とは逆に設けられてもよいことはもちろんである。
【００４３】
図１５は裏部材と表部材によって手提げ紐２を挟むことによって、固定手段５を手提げ紐２に固定する方法の第２の例を示す要部側面図である。この手法はいわゆるホックの一般的な取り付け方の一手法を用いたものである。
【００４４】
図（イ）に示すように、裏部材５の裏側には、手提げ紐２の厚さを最大高さとする筒状の係合部１６が設けられているとともに、表部材１３にもこの係合部１６に係合する被係合部１６’が背面に設けられている。この係合部１６と被係合部１６’は一方の直径が他方の内径に合致するように設計される。そしてこれらは図（ロ）に示すように予め手提げ紐２に設けられた貫通孔１５に挿通されて、なおかつ手提げ紐２を挟んで相互に固定される。
【００４５】
この例においては、裏部材５及び表部材１３に設けられた係合部１６または被係合部１６’のいずれかが鳩目に形成されていて、先にこの鳩目によって手提げ紐２に一方を固定した後に、鳩目の中心孔に適合する係合部を備えた他方の部材を係合させるものとしても良いことはもちろんである。
【００４６】
また、結合部材５をこのような手法により手提げ紐２に係合させる場合は、完全に固定させず結合部材５が回転できるように自由度を残しておくことにより、結合手段５を使用する際に、結合相手との位置決めがし易くなる場合がある。
【００４７】
図１６乃至２１は手提げ紐２と袋１との結合方法を組み合わせた場合の手提げ紐２と結合手段５との結合方法を示すものである。  
【実施例３】
【００４８】
図１６は手提げ紐２の端末を表部材１３に結合させる場合を示している。図（イ）は組み立て斜視図であるが、図（ロ）に示すように、板状の表部材１３には予め紐の端末を収納する孔１７が設けられている。そしてこの孔１７に手提げ紐２の端末が挿入され、固定される。固定方法としては接着の他、圧着、溶着、クランプ、挟着、ねじ留めなど手段は限定されない。裏部材は結合手段５がそのまま利用され、その背面には突起１２が設けられていて表部材１３に設けられた係合部１４と係合して袋１の開口部を挟んで袋１に固定される。図中１５は袋１の開口部に設けられた貫通孔である。また、図において（イ）は手提げ紐２が帯状の場合、また（ハ）はそれが縄状の場合を示している。
【００４９】
図１７は手提げ紐２の端末を裏部材に結合させる場合を示している。図（イ）は組み立て斜視図であるが、図（ロ）に示すように、板状の裏部材１８には予め紐の端末を収納する孔１７が設けられている。そしてこの孔１７に手提げ紐２の端末が挿入され、固定される。固定方法としては接着の他、圧着、溶着、クランプ、挟着、ねじ留めなど手段は限定されない。裏部材は結合手段５がそのまま利用され、その背面には係合部１６が設けられていて表部材１３に設けられた係合部１６と係合して袋１の開口部を挟んで袋１に固定される。図中１５は袋１の開口部に設けられた貫通孔である。また、図において（ロ）は手提げ紐２が帯状の場合、また（ハ）はそれが縄状の場合を示している。
【００５０】
なお上記図１６及び１７において表部材１３と裏部材との結合手段は図１４及び１５に示したいずれの方法を組み合わせても良いことはもちろんである。
【００５１】
また、手提げ紐２とこの末端が固定される表部材１３または裏部材が同一の素材で作られる場合は、予め別の部品として形成されているか否かを問わず、一体に形成されるものであっても良いことはもちろんである。
【実施例４】
【００５２】
図１８は、手提げ紐２を袋１へ係合させる手段として、袋への取り付け舌状片１９を介して行う場合の例を示すものである。取り付け舌状片１９は図（イ）に示すように、舌状片１９ａ及び１９ｂが二股に形成されていて、この部分で袋１の上部開口端部を挟むようになっている。そして挟んだ際に両舌状片を相互に係合させるために、その袋体の表側になる一方（図では１９ａ）には係合突起２０が設けられ、他方（図では１９ｂ）にこの係合突起が嵌り込む係合孔２１が貫通されている。係合突起２０はキノコ形を呈している。つまり先端に膨大部または大径部があり、先端を係合孔２１に押し込んだ際に“返り”となり、抜け防止構造となっている。
【００５３】
取り付け舌状片１９の上部には平板部２２があり、結合手段５はここに一体に設けられている。さらに平板部２２の上方には紐の挿通孔２３が設けられている。そして手提げ紐２が帯状の場合は図（ロ）に示すように、紐２を横長の挿通孔２３に通して折り返し、鳩目２４などにより端末が固定される。また、手提げ紐２が縄状の場合は、同様に円形の挿通孔２３を通して折り返し、予め通しておいた筒状体２５に通してかしめる等して端末が固定される。
【００５４】
なお、この場合においては、図（ニ）に示すように、結合手段５を取り付け舌状部１９ｂの係合孔２１の間に設けるものとしても良い。
【００５５】
図１９は図１８に示した例の変形である。袋への取り付け舌状片１９は図１８であった二股から上の平板部２２が無く、舌状片１９の折り返し部には横長の紐挿通孔２３が設けられている。結合手段５は舌状片１９ｂの係合孔２１の間に舌状片１９ｂと一体に形成されている。手提げ紐２の末端には棒状部材２６が紐２と直交する方向になおかつ紐の幅よりも所望長さ長く、紐とでＴ字形状になるように形成されている。この幅は、舌状片１９の幅よりも若干小さい寸法であることが望ましい。また、太さは上記紐挿通孔２３に挿通可能な寸法である。なお、棒状部材２６は紐２の末端処理として糸の解れ防止の役目も果たすものである。また、紐挿通孔２３の長さは、棒状部材２６の長さより短い寸法に形成されている。紐２の幅寸法よりも狭くても構わない。
【００５６】
この場合の使用においては、予め紐末端の棒状部材２６を取り付け舌状片１９に設けた紐挿通孔２３に、端部の片方ずつを通して舌状片１９の屈折部内面に適合させることで紐２は挿通孔２３から抜けなくなる。そして舌状片１９を袋１の開口部上端に、固定手段５が内側になるような向きに挟み付けて固定する。このように袋への係合手段と紐本体とを脱着可能に形成することにより、紐と係合手段を異なるデザインで製作しておき、それらを自由に組み合わせて使用することで、従来にない新規な価値観を備えさせることが可能となる。
【実施例５】
【００５７】
図２０は、手提げ紐２が予めその両方の端末を一枚のシートに固定されたものを袋１に接着等して固定する場合に適用される例を示すものである。この場合は手提げ紐２及び固定シート２７はいずれも紙や樹脂シートなど同一素材で製造される場合が多い。そして結合手段５は固定シート２７の場合はＡ部また、手提げ紐２の場合はＢ部に固定されることが好適である。固定方法は接着または溶着が好適であるがこれに限定されるものではない。
【実施例６】
【００５８】
図２１は結合手段５を手提げ紐２に固定しない場合を示している。結合手段５は扁平の筒状部材２８に一体に形成されている。そして筒状部材２８は手提げ紐２を挿通せしめて、紐上を自由に移動できるようになっている。つまり、手提げ紐２を袋１に係合させるにあたっては、予め筒状部材２８に紐２を挿通させてから端末を袋に係合することとなる。
【００５９】
このように構成することにより、袋１の内容物が開口部より突出している場合であっても、その内容物の上端の任意の位置で結合手段５によって手提げ紐２を束ねることが可能となる。
【００６０】
以下、結合手段５の他の形状例を示す。結合手段５の取り付け位置や使用方法等に関しては前記実施例１と同様であるので割愛し、結合手段５の構成に限定して説明する。なおいずれの構成例においても、結合手段５は原則として１枚の基盤６上に構成され、手提げ紐２に結合される手法を取る形が好適である。
【実施例７】
【００６１】
図２２は結合手段５の結合前の要部正面図である。本実施例では結合手段５を構成する基本図形の内側を立体的に形成して嵌め合いを構成するものである。
【００６２】
図２２に示すように、基盤６は基本図形となる正方形をその一の対角線を手提げ紐２の長さ方向に平行になるように配置している。その対角線で区画された部分を周方向に順次凹凸となるように（図では一つおき）に隆起させて突起７を形成する。図では便宜上隆起させた部分を灰色に着色している。ここでは便宜上基盤６の表面を凹部２９とする。
【００６３】
なお、図２２の左右の図はそれぞれ使用時における向き合った手提げ紐２の結合部を示すものであり、向かい合った結合手段５の突起７が凹部２９に嵌まり合うものであることを示している。
【００６４】
図２３及び図２４は図２２におけるＣＣ断面図である。突起７の側面３０は突起の高さ方向に２分割され、側面形状がほぼＳ字を形成するように一対の突条３１と条溝３２を並列した構成となっている。そしてこの突条３１の高さと幅及び条溝３２の深さと幅は基本的には同一もしくは条溝３２の方を幾分大きく形成する。図中（イ）は嵌め合わせる前、（ロ）は嵌め合わせた状態を示している。つまり図２３に示すように、突起を向き合わせた際にそれぞれの側面形状が適合しあうようになっていることで嵌合構造を構成している。図２４は側面３０の断面形状が鋭角部を備えたＺ字型を呈しているものである。図は多少誇大に描いているが、このように鈎状の構造で嵌まり合う方が強度が高いことは言うまでもない。なお、側面３０の断面は矩形であっても良いことはもちろんである。
【００６５】
図２５は基本形状の他の形状例を示す平面図である。（イ）は菱形、（ロ）は六角形、（ハ）は八角形及び（ニ）は円形である。基本的に偶数の多角形か円形となる。もちろん楕円形も含まれる。円形の場合は多角形の周縁が曲線になっただけであると考えられるので、多角形同様に任意の位置で周方向に偶数個に均等分割すれば全く同様に考えることができる。（ホ）は円形の場合において、凹凸を半径方向に複数の列で構成した場合を示すものである。もちろん多角形でも同様に形成することは可能である。
【００６６】
図２６は突条と条溝の他の構成例を示す平面図である。図に示すように基本図形が四角形の場合は嵌め合いの部位は４箇所あることになるが、これを例えば図において上側の嵌め合いよりも下側の嵌め合いを図２７に示すように図２３のそれよりも深くして嵌め合いの強さを強くすることにより、袋側からは解放し難い構成とすることができるのである。つまりその寸法の選択によって、結合させるときと解放させるときの嵌め合い順序を決めることができる。この場合において嵌め合い強度を上げる手段としては図２４に示した側面形状を用いることとしても良いことはもちろんである。
【実施例８】
【００６７】
図２８は結合手段の結合前の要部正面図である。本実施例では結合手段５を複数の突起で形成して嵌め合いを構成するものである。
【００６８】
図に示すように基盤６上には仮想正方形の対角の位置に一対の突起７を設けている。突起７は平面的には円形で背の低いキノコ型もしくは円柱状を呈している。これはいうなれば前記第２の実施例の突起７を円形の突起に置き換えたものと考えることができる。
【００６９】
、図２８の左右の図はそれぞれ使用時における向き合った手提げ紐２の結合部を示すものであり、向かい合った結合手段５の突起７が相互に嵌まり合うものであることを示している。
【００７０】
図２９（イ）に示すように、突起７の側面３０は突条部３１と条溝部３２で構成されたＳ字形状に形成されている。そしてこの突条部３１の高さと幅及び条溝部３２の深さと幅は基本的にほぼ同一もしくは条溝３２の方を幾分大きく形成する。図中（イ）は嵌め合わせる前、（ロ）は嵌め合わせた状態を示している。つまり図に示すように、突起を向き合わせた際にそれぞれの側面形状が適合しあうようになっていることで嵌合構造を構成している。
【００７１】
図３０乃至３２は突起７の他の配置例を示すものである。図３０は仮想六角形の頂角の位置に配置した場合を示している。図中（イ）において中心線を境に左右の図はそれぞれ使用時の向き合った手提げ紐の結合手段５を示すものである。また、図中（ロ）及び（ハ）は突起７の縦断面（（イ）におけるＤＤ断面図）である。図中（ロ）及び（ハ）に示すように、突起７はその側面を矩形、Ｚ字状や鈎状にしてもよい。
【００７２】
図３１は突起７を四角柱状に形成した場合を示している。（イ）におけるＤＤ断面図である（ロ）及び（ハ）に示すように突起７の側面形状は矩形や台形もしくは鈎状に形成することができる。
【００７３】
図３２は（イ）で突起７を二重に形成した場合を示し、（ロ）では五角柱で形成した場合を示している。
【実施例９】
【００７４】
図３３乃至３５は前記第１の実施例の構成と第７の実施例に示した突起の構成を組み合わせた構成を示している。
【００７５】
図３３は結合手段の結合前の要部斜視図である。基盤６上には第１の実施例における基盤に相当する中央部３３が基本形状として正方形に形成され、同時に突起７Ａが対角の位置に形成されている。そして中心部３３に第２の実施例における突起７Ｂと凹部２９が形成されている。そして使用時には向き合った結合手段５の第１の実施例における突条９と条溝１０とが、また、第２の実施例における突起７Ｂの側面３０がそれぞれ嵌まり合うことにより頑強な結合を得ることができる。
【００７６】
図３４は突起形状の他の形状例を示す平面図である。（イ）は菱形、（ロ）は六角形、（ハ）は八角形及び（ニ）は円形を示している。
【００７７】
図３５は嵌合構造の他の構成例を示す平面図である。図に示すように基本図形が四角形の場合は嵌め合いの部位は８箇所あることになるが、これを例えば図において上側の嵌め合いよりも下側の嵌め合いを深くして嵌め合いの強さを強くすることにより、袋側からは解放し難い構成となるのである。つまりその寸法の選択によって、結合させるときと解放させるときの嵌め合い順序を決めることができる。この場合において嵌め合い強度を上げる手段としては前記第１の実施例及び第２の実施例にそれぞれ示した嵌め合い形状を用いることができる。
【実施例１０】
【００７８】
図３６乃至３８は前記第１の実施例の構成と第８の実施例に示した突起の構成を組み合わせた構成を示している。
【００７９】
図３６は結合手段５の結合前の要部正面図である。基盤６上には第１の実施例の基盤６に相当する中央部３３が形成されるとともにその対角の位置に突起７ａが形成されている。なおかつその上に第三の実施例における突起７ｂが形成されている。
【００８０】
図３６に示すように、使用時には向き合った結合手段５の第１の実施例における突条９と条溝１０とが、また、第８の実施例における突起７ｂがそれぞれ嵌まり合うことにより頑強な結合を得ることができる。
【００８１】
図３７は突起形状の他の形状例を示す平面図である。（イ）は菱形、（ロ）は六角形、（ハ）は八角形及び（ニ）は円形を示している。
【００８２】
図３８は結合構造の他の構成例を示す平面図である。図に示すように基本図形が四角形の場合は嵌め合いの部位は５箇所あることになるが、これを例えば図において上側の嵌め合いよりも下側の嵌め合いを深くして嵌め合いの強さを強くすることにより、袋側からは解放し難い構成となるのである。つまりその寸法の選択によって、結合させるときと解放させるときの嵌め合い順序を決めることができる。この場合において嵌め合い強度を上げる手段としては前記第１の実施例及び第８の実施例にそれぞれ示した嵌め合い形状を用いることができる。
【実施例１１】
【００８３】
図３９乃至４１は前記第７の実施例の構成と第８の実施例に示した突起の構成を組み合みわせた構成を示している。
【００８４】
図３９は結合手段５の結合前の要部正面図である。第７の実施例の凹部２９に第８の実施例における突起７ｂが形成されているとともに、第７の実施例の突起７ａにこの突起７ｂが係合する係合孔３４が形成されている。
【００８５】
図３９に示すように、使用時には向き合った結合手段５の第７の実施例における突条７ａと凹部２９とが側面３０により、また、第８の実施例における突起７ｂと係合孔３４がそれぞれ嵌まり合うことにより頑強な結合を得ることができる。
【００８６】
図４０は突起形状の他の形状例を示す平面図である。（イ）は菱形、（ロ）は六角形、（ハ）は八角形及び（ニ）は円形を示している。
【００８７】
図４１は嵌合構造の他の構成例を示す平面図である。図に示すように基本図形が四角形の場合は嵌め合いの部位は８箇所あることになるが、これを例えば図において上側の嵌め合いよりも下側の嵌め合いを深くして嵌め合いの強さを強くすることにより、袋側からは解放し難い構成となるのである。つまりその寸法の選択によって、結合させるときと解放させるときの嵌め合い順序を決めることができる。この場合において嵌め合い強度を上げる手段としては前記第７の実施例及び第８の実施例にそれぞれ示した嵌め合い形状を用いることができる。
【実施例１２】
【００８８】
図４２乃至４６はこの発明の第１２の実施例を示すものである。
【００８９】
図４２は結合手段５の結合前の要部正面図である。基盤６上には手提げ紐２の長さ方向と直行する方向に３本の突条３５が並列して設けられている。図４３は結合前の結合手段５を示す斜視図である。突条３５はその側面３０を突条部３１及び条溝部３２とからなるほぼＳ字状に形成してなり、使用時に向かい合った結合手段５の突条３５が相手の結合手段５の突条間の条溝３６に適合するようになっている。この実施例においては突条３５を３列以上設けることが重要である。
【００９０】
図４４及び図４５は使用時の嵌め合い状態を示す側面図である。図４４は通常の突条の構成である。（イ）に示すように結合手段５を結合させる場合は突条３５の幅分上下にずらして向かい合った突条列を押し込んで嵌め合わせることで、（ロ）に示すように一体となる。そして結合を解放する場合は（ハ）に示すように図示しない手提げ紐２を持って上方から広げるとファスナーの如く結合が離れる。
【００９１】
図４５は突条３５の側面形状を左右非対称とした場合を示している。すなわち突条３５の上側の側面３０は突条部３１で形成し、下側の側面３０は条溝部３２で形成している。つまり突条３５はその横断面が上に向かって湾曲した形状となっている。このような構成とすることによって、結合時には下側から上に向かって嵌め込み、逆に解除する場合は上側からでないと解除し難いというように、その操作において一方向性を設けることが可能となる。
【００９２】
なお、この実施例において、突条３５の横断面形状は、図に示した形状に限定されるものではなく、側面の形状が矩形をつなげた形状であったり、鈎形状をつなげた形状であっても良いことはもちろんである。
【００９３】
この場合において、袋側と紐側とで結合解除のし易さを変える場合は、図４６に示すように突条３５の厚み及び側面３０を形成する突条部３１と条溝部３２の嵌め合い深さを上方に行くにしたがって浅くするなど変えて、相互の嵌め合い強さを調整することにより袋側からは外れ難いが紐側からは外し易いという構成にすることができる。
【実施例１３】
【００９４】
図４７乃至５０はこの発明の第１３の実施例を示すものである。
【００９５】
図４７は結合手段５の結合前の要部斜視図である。基盤６上には手提げ紐２の長手方向に対して４５度の角度で傾斜し交差した２本の仮想線状に、一方に１本、他方に２本の並列した突条３５が設けられている。この突条３５の横断面は先端に膨大部を有するいわゆるキノコ型を呈している。もちろん前述の実施例１２等で示されているような矩形型や鈎型等に形成されているものとしても良いことはもちろんである。
【００９６】
図４７に示すように、使用時にはこれら向き合った結合手段５において、一方の結合手段の１本の突条３５が片方の２本の突条列で形成される条溝３６に嵌り合うようになる。図４８は嵌り合った状態を示す正面図である。通常はこのように４組の嵌め合わせが機能する。ところがこの実施例の場合は、突条３５の厚さ分ずらすことよって図４９に示すように、半分の２組のみ嵌め合わせることも可能となる。
【００９７】
またこの実施例においても、図５０（イ）に示すように、結合手段５を上下に分けた場合に上下で嵌め合い強度を変えることができる。その場合には前記実施例に示したように、嵌め合いの深さや幅のみならず、図５０の（ロ）、（ハ）または（ニ）のような様々な突条形状を選択して組み合わせても良い。
【実施例１４】
【００９８】
図５１及び図５２はこの発明の第１４の実施例を示すものである。
【００９９】
図５１は結合手段５の結合前の要部斜視図である。基盤６上には所望高さを備えたほぼ正方形の平板部３７が設けられている。そしてその平板部３７を上下に２等分した場合の両横の辺の外側対角位置に、内側に鈎状部３８を備えた突条３５が設けられている。図中左側の突条３５から見ると、当該突条３５の上端の水平位置を下端とする対辺の位置に同様の突起を対向して設けている。そしてそれぞれの両横の辺の残りの部分には基盤６との境界に条溝３６が設けられている。そしてこれら結合手段５を向き合わせた際に、一方の突条３５の鈎状部３８が条溝３６に係合するようになっている。図５２は結合させた状態を示す側面図である。
【産業上の利用可能性】
【０１００】
この発明の手提げ紐は以上のように構成したので、その構成によっては、ホックとしても従来にない新規な形状であるとともに、十分な長さの嵌合長を確保することでコンパクトな形状でありながら嵌合強度の向上を図ることができる。したがって、常態では袋の口が不用意に開いてしまうということを従来以上に防止することができる。
【０１０１】
しかも、嵌合強度が強いにもかかわらず、操作時には嵌めやすく外しやすいという従来にない良好な操作性を得られるに至った。
【０１０２】
さらには、この発明の結合手段は新規なホックとして機能するため、衣料品等への応用も可能である。
【図面の簡単な説明】
【０１０３】
【図１】この発明の手提げ紐を装着した袋の全体斜視図である。
【図２】この発明の第１の実施例における手提げ紐の要部正面図である。
【図３】その要部側面図である。
【図４】その結合手段の平面図である。
【図５】その結合手段の装着状態の斜視図である。
【図６】結合手段の嵌合構造を示す要部正面図である。
【図７】結合手段の嵌合構造を示す要部断面図である。
【図８】結合手段の嵌合構造を示す要部断面図である。
【図９】結合手段の作用を示す要部断面図である。
【図１０】嵌合構造の他の形状例を示す平面図である。
【図１１】嵌合構造の他の構成例を示す平面図及び要部断面図である。
【図１２】その作用を示す要部断面図である。
【図１３】基盤部の他の構成例を示す要部平面図である。
【図１４】第２の実施例としての紐と結合手段との結合例を示す要部側面図である。
【図１５】紐と結合手段との結合例を示す要部側面図である。
【図１６】第３の実施例としての紐と結合手段との結合例を示す要部縦断面図及び斜視図である。
【図１７】紐と結合手段との結合例を示す要部縦断面図及び斜視図である。
【図１８】第４の実施例としての紐と結合手段との結合例を示す要部縦断面図及び斜視図及び正面図である。
【図１９】紐と結合手段との結合例を示す要部縦断面図及び斜視図である。
【図２０】第５の実施例としての紐と結合手段との結合例を示す要部斜視図である。
【図２１】第６の実施例としての紐と結合手段との結合例を示す要部斜視図及び平面図である。
【図２２】第７の実施例としての結合手段の嵌合構造を示す要部斜視図である。
【図２３】結合手段の嵌合構造を示す要部断面図である。
【図２４】結合手段の嵌合構造を示す要部断面図である。
【図２５】嵌合構造の他の形状例を示す平面図である。
【図２６】嵌合構造の他の構成例を示す平面図である。
【図２７】結合手段の嵌合構造を示す要部断面図である。
【図２８】第８の実施例における結合手段の嵌合構造を示す要部斜視図である。
【図２９】結合手段の嵌合構造を示す要部側面図である。
【図３０】嵌合構造の他の形状例を示す平面図及び突起の縦断面図である。
【図３１】嵌合構造の他の形状例を示す平面図及び突起の縦断面図である。
【図３２】嵌合構造の他の形状例を示す平面図である。
【図３３】第９の実施例における結合手段の嵌合構造を示す要部斜視図である。
【図３４】嵌合構造の他の形状例を示す平面図である。
【図３５】嵌合構造の他の構成例を示す平面図である。
【図３６】第１０の実施例における結合手段の嵌合構造を示す要部斜視図である。
【図３７】嵌合構造の他の形状例を示す平面図である。
【図３８】嵌合構造の他の構成例を示す平面図である。
【図３９】第１１の実施例における結合手段の嵌合構造を示す要部斜視図である。
【図４０】嵌合構造の他の形状例を示す平面図である。
【図４１】嵌合構造の他の構成例を示す平面図である。
【図４２】第１２の実施例における結合手段の嵌合構造を示す要部正面図である。
【図４３】その嵌合構造を示す要部斜視図である。
【図４４】嵌合構造の作用を示す要部側面図である。
【図４５】嵌合構造の作用を示す要部側面図である。
【図４６】嵌合構造の他の構成例を示す要部側面図である。
【図４７】第１３の実施例における結合手段の嵌合構造を示す要部斜視図である。
【図４８】嵌合した状態を示す概念図である。
【図４９】嵌合した状態を示す概念図である。
【図５０】条突起の他の構成例を示す正面図及び概念図である。
【図５１】第１４の実施例における結合手段の嵌合構造を示す要部斜視図である。
【図５２】嵌合構造の作用を示す要部側面図である。
【符号の説明】
【０１０４】
１  袋
２  手提げ紐
３  吊り下げ部
４  取り付け部
５  係合手段
６  基盤
７  突起
８  紐挿通孔
９  突条
１０  条溝
１１  磁石
１２  突起
１３  表部材
１４  係合部
１５  貫通孔
１６  係合部
１７  孔
１８  裏部材
１９  取り付け舌状片
２０  係合突起
２１  係合孔
２２  平板部
２３  挿通孔
２４  鳩目
２５  筒状体
２６  棒状部材
２７  固定シート
２８  筒状部材
２９  凹部
３０  側面
３１  突条
３２  条溝
３３  中央部
３４  係合孔
３５  突条
３６  条溝
３７  平板部
３８  鈎状部
【図１】
2005343483.tif 000003
【図２】
2005343483.tif 000004
【図３】
2005343483.tif 000005
【図４】
2005343483.tif 000006
【図５】
2005343483.tif 000007
【図６】
2005343483.tif 000008
【図７】
2005343483.tif 000009
【図８】
2005343483.tif 000010
【図９】
2005343483.tif 000011
【図１０】
2005343483.tif 000012
【図１１】
2005343483.tif 000013
【図１２】
2005343483.tif 000014
【図１３】
2005343483.tif 000015
【図１４】
2005343483.tif 000016
【図１５】
2005343483.tif 000017
【図１６】
2005343483.tif 000018
【図１７】
2005343483.tif 000019
【図１８】
2005343483.tif 000020
【図１９】
2005343483.tif 000021
【図２０】
2005343483.tif 000022
【図２１】
2005343483.tif 000023
【図２２】
2005343483.tif 000024
【図２３】
2005343483.tif 000025
【図２４】
2005343483.tif 000026
【図２５】
2005343483.tif 000027
【図２６】
2005343483.tif 000028
【図２７】
2005343483.tif 000029
【図２８】
2005343483.tif 000030
【図２９】
2005343483.tif 000031
【図３０】
2005343483.tif 000032
【図３１】
2005343483.tif 000033
【図３２】
2005343483.tif 000034
【図３３】
2005343483.tif 000035
【図３４】
2005343483.tif 000036
【図３５】
2005343483.tif 000037
【図３６】
2005343483.tif 000038
【図３７】
2005343483.tif 000039
【図３８】
2005343483.tif 000040
【図３９】
2005343483.tif 000041
【図４０】
2005343483.tif 000042
【図４１】
2005343483.tif 000043
【図４２】
2005343483.tif 000044
【図４３】
2005343483.tif 000045
【図４４】
2005343483.tif 000046
【図４５】
2005343483.tif 000047
【図４６】
2005343483.tif 000048
【図４７】
2005343483.tif 000049
【図４８】
2005343483.tif 000050
【図４９】
2005343483.tif 000051
【図５０】
2005343483.tif 000052
【図５１】
2005343483.tif 000053
【図５２】
2005343483.tif 000054